(57)【要約】【課題】  鏡に映像などの情報を提示する既存の装置は、ユーザの動作や状況に対するリアクション機能に乏しく、変化が少ないためユーザに飽きられる可能性が高い。【解決手段】  拡散層とハーフミラーが重ねられた表示部を有し、その表示部に対しプロジェクタで投射し、センサ，カメラ，マイク，ＩＣカードリーダなどから、ユーザの動作，状態を検出する手段を有し、検出した情報に基づき、映像などの情報を表示部に提示する手段を有する映像表示装置。【選択図】図１
2006330011.tif 000002
【特許請求の範囲】
【請求項１】
映像を投射するための少なくとも１つのプロジェクタと、
プロジェクタから投射された光を拡散するための拡散層とハーフミラーとが重ねられた、少なくとも１つの表示部と、を有し、
前記表示部に、前記ハーフミラーで反射される反射像と、前記拡散層に前記プロジェクタで投射された情報を提示することを特徴とする情報提示装置。
【請求項２】
請求項１において、プロジェクタの投射光が、プロジェクタから発せられ、拡散層において投射像を結ぶまでの光の路と、プロジェクタの熱を放熱するための熱の路とを仕切り板によって分離することを特徴とする情報提示装置。
【請求項３】
請求項１において、表示部の上方または側面に設置したセンサにより、表示部に近づいた人物の距離を検出し、一定距離内に人物が近づくと、情報の提示を制御することを特徴とする情報提示装置。
【請求項４】
請求項１において、表示部の上方または側面に設置したセンサにより、表示部に近づいた人物の距離を検出し、一定距離内に人物が近づくと情報を表示部に提示することを特徴とする情報提示装置。
【請求項５】
請求項１において、表示部の上方または側面に設置したセンサにより、表示部に近づいた人物の距離を検出し、一定距離内に人物が近づくと、一定の時間全面に黒色または白色表示をしたあと、映像などの情報を表示部に提示することを特徴とする情報提示装置。
【請求項６】
請求項１において、表示部の上方または側面に設置したセンサにより、表示部に近づいた人物の距離を検出し、一定距離内に人物が近づくとその距離に基づいて情報を変更して表示部に提示することを特徴とする情報提示装置。
【請求項７】
請求項１において、ハーフミラーの裏側または側面にカメラを設置し、表示部の表側の映像を撮影することを特徴とする情報提示装置。
【請求項８】
請求項１において、ハーフミラーの裏側または側面にカメラを設置し、表示部の表側の映像を撮影し、前記撮影映像に基づき、情報を表示部に提示することを特徴とする情報提示装置。
【請求項９】
請求項１において、ハーフミラーの裏側または側面にカメラを設置し、表示部の表側の映像を撮影し、前記撮影映像の色彩に基づき、情報を表示部に提示することを特徴とする情報提示装置。
【請求項１０】
請求項１において、ハーフミラーの裏側または側面にカメラを設置し、表示部に近づいた人物の位置と距離と移動方向を検出し、その位置と距離と移動方向に基づいて情報を変更して表示部に提示することを特徴とする情報提示装置。
【請求項１１】
請求項１において、表示部の上方または側面に設置したマイクにより、表示部に近づいた人物の発する音声を検出し、前記音声を文字列にとして認識し、認識した前記文字列に基づき情報を表示部に提示することを特徴とする情報提示装置。
【請求項１２】
請求項１において、表示部の裏側または側面に設置したリーダにより、ＲＦＩＤを表示部に近づけるとＩＤを読み取り、ＩＤに対応する情報を表示部に提示することを特徴とする情報提示装置。
【発明の詳細な説明】
【技術分野】
【０００１】
本発明は、反射像を映すだけでなく、鏡面に様々な情報を表示する情報提示装置に関する。
【背景技術】
【０００２】
鏡は、洗面所や風呂場などの身だしなみを確認する場所，衣料品店など商品を確認する場所，美容室や理容室，建築物の柱など一般の人々が集まる場所など、さまざまな場所でさまざまな用途に利用されている。また、鏡の裏面から表側を透かして見ることができるハーフミラーは、サンバイザーとして建物や乗用車の窓に使われたり、防犯目的のため店舗などに設置されたりしている。
【０００３】
しかし、これまで鏡は反射像のみを映すだけであり、例えば自宅の洗面台の鏡などのように毎日同じ鏡を見る場合には、毎日同じような反射像しか見ることができない。これに対して、例えばその日の天気予報やニュースなどのような、反射像以外の付加情報を鏡の表面に表示することができれば、ユーザは鏡面上で、反射像のほかに、毎日異なる情報を得ることができる。
【０００４】
このような機能を持つ鏡として、たとえば、特開２００２−２２９４９４「情報表示機能付ミラー」（特許文献１）が提案されている。これは、ハーフミラーの背面に液晶ディスプレイを配置し、液晶ディスプレイがＯＮの場合に液晶ディスプレイの映像をハーフミラーを透過して鏡面に表示するというものであり、反射像のほかに映像や文字などの付加情報を表示することができる。
【０００５】
【特許文献１】特開２００２−２２９４９４号公報
【発明の開示】
【発明が解決しようとする課題】
【０００６】
特開２００２−２２９４９４「情報表示機能付ミラー」の方法では、光源である液晶ディスプレイとハーフミラーが近接していなければ、鏡面に表示される映像の輝度が低下してしまう点、視野角がディスプレイの大きさに制限されてしまう点、などの問題点がある。
【０００７】
また、特開２００２−２２９４９４「情報表示機能付ミラー」では液晶ディスプレイのかわりにプロジェクタによる映像の投射の例も提案されているが、その表示部は単にハーフミラーを保護透過層で覆ったものであるため、実際にはユーザの目には投射映像は見えず、光源であるプロジェクタの電球が直接見えてしまう、という欠点がある。
【０００８】
また、プロジェクタと表示部の距離がある場合は、その間に埃がたまり、輝度やコントラストが劣化するという問題がある。
【０００９】
また、ハーフミラーに反射像や投射映像が表示されているだけでは、最初は物珍しいかもしれないが、変化に乏しいためユーザに飽きられる可能性が高いという問題がある。
【００１０】
本発明は、上記課題を考慮してなされたものであり、光源と表示部の距離が離れている場合でも、表示部に映像を表示させることが可能であり、かつ反射像も同時に重ねて表示する機能を備えた表示部を持つ情報提示装置を提供する。
【課題を解決するための手段】
【００１１】
上記の課題を解決するために、本発明による情報提供装置は、拡散層とハーフミラーが重ねられた表示部を有し、その表示部に対しプロジェクタで投射する手段を有する。
【発明の効果】
【００１２】
ハーフミラーと拡散層を重ねることにより、表示部に反射像と投影像をあわせて表示することができる。また、プロジェクタを用いて拡散層への投影を行うことにより、ハーフミラーの裏側に設置する装置の種類，設置位置などの設計における自由度が高くなる。
【発明を実施するための最良の形態】
【００１３】
以下、本発明の実施形態を図面を用いて説明する。
【００１４】
図１は、本発明の一実施形態を示す概略構成図かつ断面図である。情報提示装置１０１は以下のものから構成される。すなわち、プロジェクタ１０５などの光源を暗い場所に格納するための筐体１０２，プロジェクタの投射像を表示し、拡散層(図３の３０１に対応)を含む透過型スクリーン１０３，ユーザ１１１側からの光を反射して反射像を表示するとともに、透過型スクリーン１０３の投射像の光を通過させるハーフミラー１０４，映像を光として出力するプロジェクタ１０５，プロジェクタに映像を送るコンピュータ１０６，プロジェクタ１０５からの光を反射させ透過型スクリーン１０３に当てるためのミラー
１０７，光の通り道（光路）１０９と、熱の通り道（熱路）１１０を分離するための仕切り１０８から構成される。
【００１５】
仕切り１０８により、プロジェクタ１０５やコンピュータ１０６が発生する熱は、筐体の下部などの吸気口から吸われた空気を用い、筐体の後部の熱路１１０を通って筐体の上部に達し、筐体の上部にある排気口から熱は放出される。この際同時に吸い込まれ流動する埃は、仕切り１０８により光路１０９に進入することがないため、透過型スクリーンに投射される映像を長期間に渡り明瞭に提示することが可能になる。
【００１６】
また、ハーフミラー１０４，透過型スクリーン１０３は筐体１０２から着脱可能である。
【００１７】
図２は、本発明による一般的な情報提示装置１０１の概略構成図である。２０１は映像を投射する出力部、２０２はカメラやセンサやＲＦＩＤタグなどの情報を読み取る入力部、２０３は映像データなど各種情報を記憶する記憶部、２０４は出力部２０１，入力部
２０２，記憶部２０３を制御する制御部である。さらに、インターネット等のネットワークと接続してデータ通信を行うための通信部２０５を備える。なお、図１において、光の出力部２０１はプロジェクタ１０５として、記憶部２０３，制御部２０４，通信部２０５はコンピュータ１０６として実現されている。
【００１８】
図３は、透過型スクリーン１０３およびハーフミラー１０４を含む表示部の構成を示した図である。ハーフミラー１０４は、入射光量の一部を反射し、一部を透過するように、金属薄膜３０２または誘電体多層膜を、透明なポリエステルフィルム３０３またはアクリル，プラスチック，ガラスなどの板に蒸着したものである。透過型スクリーン１０３は、光を効率よく拡散する拡散層となる拡散シート３０１を、透明なアクリル板３０４、またはプラスチック，ガラスなどの板に粘着したものである。
【００１９】
このように透過型スクリーン１０３とハーフミラー１０４を重ねることにより、また筐体１０２，仕切り１０８によりプロジェクタ１０５からの光以外を遮断することにより、ユーザ１１１からは、ハーフミラー１０４に反射されたユーザの姿などの反射光と、プロジェクタ１０５により透過型スクリーン１０３に投射された投射映像が同時に重なり合うように見ることが可能となる。
【００２０】
情報提示装置１０１の軽量化を図るために、透過型スクリーン１０３をアクリル板304で構成し、ハーフミラー１０４をポリエステルフィルム３０３で構成する場合には、図３のように透過型スクリーン１０３とハーフミラー１０４との間を数ミリメートルあけておく。これは、アクリル板３０４が大量の光量による熱や自分自身の重みでゆがんだ際に、ポリエステルフィルム３０３にそのゆがみが伝わることにより、ハーフミラー１０４の表面がゆがむことを避けるためである。
【００２１】
ユーザ１１１が、ハーフミラー１０４に近接したときにハーフミラー１０４越しに情報制御装置の内部が見えにくくするために、ハーフミラーの透過度が２０％から３０％のものを使用する。
【００２２】
拡散シート３０１としては、できるだけ広い角度で全方位に拡散するものを用いるが、鏡に自分の姿を映している人自身には見えて、その周囲の人からは映っているものが見えないようにする場合には、例えば拡散角度を左右２０度，上下６０度などの限定した拡散シート３０１を使用することもできる。
【００２３】
図４のように、拡散シート３０１を直接ハーフミラー１０４（つまり金属薄膜３０２）に粘着させてもよい。
【００２４】
図５のように、透過型スクリーン１０３において、プロジェクタ１０５の入射光に対して、拡散シート３０１の表面を反転させてもよい。図４の場合も図５の場合も、拡散シート３０１が、図３の場合よりハーフミラー１０４に近づくためより輝度の高い映像が提示され、投射映像と反射光との重なりもより明瞭に提示される可能性が高くなる場合がある。
【００２５】
図６のように、ハーフミラー１０４において、金属薄膜３０２とポリエステルフィルム３０３を複数枚ずつ（図６では２枚ずつ）重ねて使用することもできる。特に、ハーフミラー１０４をポリエステルフィルム３０３で構成する場合は、２枚張りによりハーフミラー１０４の強度をあげることが可能である。また汎用的である透過度５０％のハーフミラーを２枚重ねることにより２５％のハーフミラーとして使用することもできる。
【００２６】
図７は、本発明の他の実施形態を示す概略構成図かつ断面図である。情報提示装置401は、図１の情報提示装置１０１に対して以下のものを追加した構成となっている。すなわち、情報提示装置４０１は、入力部として、センサ４０２，マイク４０３，カメラ４０４，カードリーダ４０５、そして出力としてスピーカ４０６のうちの少なくとも１つを筐体１０２内部に持つものである。
【００２７】
センサ４０２は、赤外線を使った反射型のもので、１０センチメートル単位で距離を検出できるものを用いる。反射型であるため、透過型スクリーン１０３，ハーフミラー104越しでは正確に距離を検出できない。透過型スクリーン１０３，ハーフミラー１０４の影響を受けないように筐体上部に設置する。本実施例では、筐体上部に設置したが、透過型スクリーン１０３，ハーフミラー１０４の影響を受けない場所であれば筐体の側面など、どこでもよい。
【００２８】
マイク４０３も、集音性能を保持するために、センサ４０２と同じように、透過型スクリーン１０３，ハーフミラー１０４の影響を受けないように筐体上部に設置する。本実施例では、筐体上部に設置したが、透過型スクリーン１０３，ハーフミラー１０４の影響を受けない場所であれば筐体の側面など、どこでもよい。
【００２９】
カメラ４０４は、透過型スクリーン１０３越しでは撮影が困難である。撮影画質は落ちるがハーフミラー１０４越しの撮影は可能である。本実施例では、透過型スクリーン103の影響を受けないように筐体上部に設置する。本実施例では、ハーフミラー１０４の裏側の筐体上部に設置したが、透過型スクリーン１０３の影響を受けない場所であれば筐体の側面など、どこでもよい。
【００３０】
カードリーダ４０５は、１３.５６ＭＨｚ の電波を使用するものは感知性能が落ちるが透過型スクリーン１０３，ハーフミラー１０４越しでも対応が可能である。２.４５ＧＨzの電波を使用するものはハーフミラー１０４越しでは感知は困難であるので、センサと同様に透過型スクリーン１０３，ハーフミラー１０４の影響を受けないように設置する必要がある。設置場所は筐体の側面などでもよい。
【００３１】
図８は、図７において、少なくともセンサ４０２を設置し、人の接近を検出するセンサ４０２を利用して映像を提示する場合の処理の流れを示す。まず、コンピュータ１０６はプロジェクタ１０５に対して出力を開始するように指示する（ステップ５０１）。次に、予め指定されたスタート用のチャンネルに対応するアプリケーションを動作させる（ステップ５０２）。ここでチャンネルとはアプリケーションＩＤのことで、アプリケーションＩＤ毎にアプリケーションが用意されている。スタート用のチャンネルはチャンネル１番つまりアプリケーションＩＤが１番のものとする。次に、情報提示装置４０１の終了指示が出されていないかを確認する（ステップ５０３）。この指示は通常は情報提示装置401の電源スイッチのオフの際に出される。終了指示が出されている場合は、現在動作しているアプリケーションを終了して（ステップ５０７）、その後プロジェクタ１０５に対して出力を停止するよう指示をし、コンピュータ１０６自らも停止する（ステップ５０９）。終了指示が出されていない場合は、センサ４０２により距離の検出を行う(ステップ504)。そして、予め設定されたセンサの検出距離内に何かが近づいたかを判断する（ステップ５０５）。センサ検出していない場合はステップ５０３に戻る。検出した場合は、登録されている次のチャンネル番号を計算する（ステップ５０６）。例えばチャンネル１番，３番，４番，６番，８番の５つが登録されている場合、現在がチャンネル１番であるならば次のチャンネル３番を、現在がチャンネル８番であるならば次のチャンネル１番を周期的に計算する。次のチャンネル番号が決定したら、現在のチャンネルに対応するアプリケーションを終了し（ステップ５０７）、決定された次のチャンネル番号に対応するアプリケーションを動作させる（ステップ５０８）。その後はステップ５０３に戻る。
【００３２】
このようにセンサ４０２を使用して提示するアプリケーションを切り替えることができる。例えば、検出距離を５０センチメートル以下にし、検出方向を斜め前上方に向けて設置した場合、運用者が手を上げてセンサ付近に手をかざすことによりアプリケーションを切り替えることができ、運用者は状況に応じてアプリケーションを切り替えることができる。また、ユーザ１１１（生活者）がセンサに検出される毎に、表現の異なるアプリケーションに切り替わっていくという演出も可能になる。
【００３３】
センサ４０２の検出処理であるステップ５０４においては、何かを検出していない状態から検出した状態になった場合のみ「検出した」と判断し、検出している状態がつづく場合には「検出した」とはみなさないとすることができる。つまり、鏡の前にずっと人が立ち続けている場合を考慮している。
【００３４】
図９は、図７において、少なくともセンサ４０２を設置し、人の接近を検出するセンサ４０２を利用して映像を提示する場合のアプリケーションの処理の流れを示す。まず、コンピュータ１０６は予め指定されたスタート用の映像を提示する（ステップ６０１）。ここで映像とは画像または音声の少なくとも１つを含むものであり、画像は動画であっても静止画であっても文字であってもよい。次にアプリケーションの終了指示が出ていないか判断する（ステップ６０２）。アプリケーションの終了指示は、情報提示装置４０１の電源オフ指示や、図８の処理におけるステップ５０７の処理などによって実施される。終了指示が出ている場合は終了する。そうでない場合は、センサ４０２により距離の検出を行う（ステップ６０３）。そして、予め設定されたセンサの検出距離内に何かが近づいたかを判断する（ステップ６０４）。センサ検出しなかった場合はステップ６０２に戻る。検出した場合は、しばらくの間、映像の提示を行わず全画面黒表示を行い(ステップ６０５)、その後、予め指定された次の映像を提示し（ステップ６０６）、ステップ６０２に戻る。
【００３５】
これにより、ユーザ１１１は、自分が鏡に近づいたことにより、鏡に提示された映像がいったん終了し、新しい映像の提示が開始されることになり、鏡が自分を認知しリアクションを起こしてくれたことを感知し、鏡の前に立ち止まる可能性が高くなる。また、映像が１つしか登録されていない場合は、センサ４０２が人の存在を新しく検知するたびに、映像を最初から提示することになるので、映像の途中で鏡の前を通りかかったユーザ111も、最初から映像を見ることができる、映像の自動巻き戻し機能を提供することができる。
【００３６】
ステップ６０５の代わりに、しばらくの間、全画面白色表示することも可能である。この場合は、フラッシュ発光に似た効果が発生し、鏡の前を通りかかったユーザ１１１を鏡の前に立ち止まる可能性が高くなる。
【００３７】
図８のアプリケーション切り替えの処理と図９のアプリケーションの処理を組み合わせて使用することが可能なことは明らかである。この場合には、情報提示装置４０１には少なくとも２つの別のセンサ４０２が設置されているものとする。
【００３８】
図１０は、図７において、少なくともセンサ４０２を設置し、人の接近を検出するセンサ４０２を利用して映像を提示する場合の、別のアプリケーションの処理の流れを示す。ステップ６０１からステップ６０４は図９の場合と同様である。次に、何かをセンサ検出した場合は、検出距離に基づいて、次に表示すべき映像の大きさを計算し(ステップ607)、表示している映像の大きさを計算値に変更して表示する（ステップ６０８）。映像を拡大する際はズーム機能のように連続的に拡大すると同時に、効果音などの音声を映像音声に重ねてスピーカ４０６から出力する（ステップ６０９）。
【００３９】
これにより鏡に近づくと映像が大きくズームされるため、鏡に反射して見えるユーザの身体部位の大きさに応じて、重ねて表示する映像の大きさを変化させる効果を実現できる。
【００４０】
図１１は、図７において、少なくともカメラ４０４を設置し、カメラ４０４を利用して映像を提示する場合のアプリケーションの処理の流れを示す。ステップ６０１とステップ６０２は図９の場合と同様である。次に、カメラ４０４からの画像を認識する（ステップ７０１）。認識した画像を予め登録された画像と比較し、ほぼ一致する登録画像または一番似ている登録画像を検索する（ステップ７０２）。検索の結果、そのような登録画像が検出された場合は、その登録画像に対応して登録された映像を、新たな映像として提示する（ステップ７０３）。
【００４１】
例えば、鏡の前に青い服を着たユーザ１１１が立った場合、カメラは青い服を認識し、登録画像の中から青い海の登録画像を抽出し、この青い海の登録画像に対応して登録されている沖縄の海の映像を投射して提示することが可能になる。赤い服の場合は、赤い夕焼けの映像が投射して提示される。登録画像は、対応して登録する映像の１コマであってもよい。これにより、鏡に反射して映る自分の服装の色と投射して提示される映像とが、調和がとれた色調で重ねられ、自分が鏡に溶け込んだかのような表現が実現できる。
【００４２】
図１２は、図７において、少なくともカメラ４０４を設置し、カメラ４０４を利用して映像を提示する場合の、別のアプリケーションの処理の流れを示す。ステップ６０１とステップ６０２は図９の場合と同様である。次に、カメラ４０４は、カメラからの画像を認識し、画像に映し出された人の形と大きさにより、情報提示装置に対する人の位置と距離を計算する（ステップ７０４）。計算された人の位置と距離に基づき、鏡に反射されていると思われる映像に合わせて、現在提示している映像の位置と大きさの変更値を計算する（ステップ７０５）。そして、現在提示している映像の位置と大きさを計算値に変更して提示する（ステップ７０６）。
【００４３】
例えば、カメラ４０４からの映像をコンピュータ１０６は、動きのある部分、肌色の部分などで身体部位の位置を推量し、顔の肌色の部分や目の幅などにより鏡からの距離を推量し、その推量値に基づき、重ねて表示する映像の位置・大きさを変化させる。ユーザ
１１１にとっては鏡に反射して見えるユーザの身体部位の位置・大きさに応じて、重ねて表示する映像の位置・大きさが変化するように見える不思議感がある。
【００４４】
図１３は、図１２の処理における表示の例を説明する図である。情報提示装置４０１のハーフミラー１０４には、人の反射像７０７と投射された映像７０８が重ねて表示される。図１３（ａ）は、人が鏡から比較的離れている場合であり、人の反射像７０７も小さく、それにあわせて投射された映像７０８も小さく投射している。図１３（ｂ）は、人が鏡から比較的近い場合であり、人の反射像７０８も大きく、それにあわせて投射された映像７０８も大きく投射している。どちらの場合も、人の位置を計算して、反射像７０７の顔の横あたりに、投射された映像７０８を位置づけて表示している。これにより、子供が歩いて通ると足元に子犬がまとわり付いてくる表現をつくることも可能であることは明らかである。
【００４５】
また、センサ４０２を左右に複数個設置したり、カメラ４０４により、人がミラーに対してどういう方向に動いているかを検出することが可能である。この検出結果に基づき、提示する映像を人が動いている方向に移動させることが可能であることは明らかである。
【００４６】
図１４は、図７において、少なくともマイク４０３を設置し、マイク４０３を利用して映像を提示する場合の、アプリケーションの処理の流れを示す。ステップ６０１とステップ６０２は図９の場合と同様である。次に、マイク４０３より入力された音声を検出し、複数の音素として認識する（ステップ８０１）。次に、図１５に示すような、予めデータベースに登録された文章８０４とそれに対応して表示する映像８０５の対応表８０６を参照し、認識された音声が予め登録された文章と一致するか判定する（ステップ８０２）。一致しない場合はステップ６０２に戻る。一致した場合は、一致した文章に対応した映像を提示する（ステップ８０３）。
【００４７】
例えば、ユーザ１１１が「こんにちは」８０４−１と発生すれば、こんにちはと返す映像Hello８０５−１ が提示される。「世界で一番美しいのは」８０４−ｎと発生すれば、白雪姫の映像SnowWhite８０５−ｎ が提示される。
【００４８】
図１６Ａ，図１６Ｂは、図７において、少なくともカードリーダ４０５を設置し、カードリーダ４０５を利用して映像を提示する場合の、アプリケーションの処理の流れを示す。ステップ６０１とステップ６０２は図９の場合と同様である。この状態では、図１７の（ａ）にあるようにハーフミラー１０４に貼られたカード接触位置を示すシール９１４と、投射されたスタート用の映像９１５がユーザ１１１から見える。次に、カメラにより人の存在を検出したかどうかを判断する。検出していない場合はステップ６０２に戻る。検出した場合は、「カードをあててください」９１７と表示し、音声でも促す（ステップ
９０２）。この状態を図１７の（ｂ）に示す。人の姿の反射像９１６も映っている。
【００４９】
次に、一定時間内に予め定められた規格のカードを認識したかを判断する（ステップ
９０３）。認識しなかった場合はステップ６０２に戻る。認識した場合は、認識したカードのＩＤが、予め登録されてある会員ＤＢに登録されているか確認する(ステップ９０４)。確認できなかった場合は「カードが登録されていません」と表示し（ステップ９０５）、ステップ６０２に戻る。確認できた場合は、カメラによりユーザの服装の色を検出する（ステップ９０６）。そして、その検出した色をカードＩＤに関連づけて会員ＤＢに追記・記憶する（ステップ９０７）。次に、アプリケーションは、現在のユーザの服装の色に基づき、予め登録された推奨商品の中から、ユーザの服装の色にあったコーディネート商品Ａを検索して決定する（ステップ９０８）。そして、上記商品Ａに基づき、上記商品Ａにもっとも近い色を「今日のあなたのラッキーカラー」９１８としてユーザ１１１に提示する（ステップ９０９）。この状態を図１７の（ｃ）に示す。
【００５０】
次に、カメラ映像を取り込み、ユーザ１１１が微笑んでいるかを判断し(ステップ910)、微笑んでいると判断した場合は、上記商品Ａ９１９の映像を提示する（ステップ911）。この状態を図１７の（ｄ）に示す。
【００５１】
そうでない場合は、アプリケーションは、会員ＤＢに蓄積されたそのユーザ１１１の過去の服装の色の履歴に基づき、予め登録された推奨商品の中から、ユーザ１１１の好みと思われる商品Ｂを抽出決定し（ステップ９１２）、上記商品Ｂの映像を提示する（ステップ９１３）。
【００５２】
ステップ９１０は、顔の輪郭，目尻の変化，口元の緩みなどにより判断するが、ステップ９１０の判断が難しい場合には、強制的にすべてステップ９１１に進んでもよい。また、ステップ９０１は、センサ４０２によって行ってもよい。
【００５３】
個人情報保護の観点から、会員ＤＢは、カードＩＤを主キーとするが、それ以外の個人を特定する情報（名前，住所，電話番号，写真など）は保存せず、ただカードＩＤに紐づける形で、服装の色のみを履歴として保存する場合もある。
【００５４】
図１８の（ａ）は、本発明のさらに他の実施形態を示す概略構成図かつ平面図である。情報提示装置１００１−１〜１００１−ｎは、情報提示装置１０１において全面のハーフミラー１０４をはずしたものである。情報提示装置１００１−１〜１００１−ｎは少なくとも１つの大きなハーフミラー１０４と密着している。また、情報提示装置１００１−１〜１００１−ｎは、ネットワーク１００３で接続されており、ネットワーク上のサーバ
１００４から映像をダウンロードし表示することができる。また、情報提示装置１００１−１〜１００１−ｎはお互いに通信が可能である。これにより、複数の情報提示装置1001−１〜１００１−ｎが同期して映像を提示することができる。情報提示装置１００１−１〜１００１−ｎは、筐体１００２で囲まれてもよい。図１８の（ｂ）は、ｎ＝４の場合において、ハーフミラー１００４を前方からみた表示図である。投射映像１００５−１〜
１００５−４が提示されている。
【００５５】
図１８の情報提示装置１００１−１〜１００１−ｎは、情報提示装置１０１において全面のハーフミラー１０４と透過型スクリーン１０３をはずしたものとしてもよい。この場合は、図１８の１０４は、ハーフミラーと透過型スクリーンを密着したもので構成される。
【００５６】
上記の実施形態によれば、次のような効果がある。
【００５７】
ハーフミラーとその裏側からの投影像を表示するための拡散層を重ねることにより、表示部に反射像と投影像をあわせて表示することができる。また、プロジェクタを用いて拡散層への投影を行うことにより、ハーフミラーと液晶画面を組み合わせる場合と比べて、ハーフミラーの裏側に設置する装置の種類，設置位置などの設計における自由度が高くなる。
【００５８】
また、光の投射路と熱の放熱路を仕切り板によって分離することにより、筐体の下部などの吸気口から吸われた空気を用い、筐体の後部の熱路を通って筐体の上部に達し、筐体の上部にある排気口から熱は放出される。この際同時に吸い込まれ流動する埃は、仕切り板により光路に進入することがないため、表示部に投射される映像を長期間に渡り明瞭に提示することが可能になる。
【００５９】
また、センサを用いて、表示部に映像を提示するアプリケーションを切り替えることができるため、この情報提示装置の運用者は、状況に応じてアプリケーションを切り替えることができる。また、ユーザがセンサに検出される毎に、表現の異なるアプリケーションに切り替わっていくという演出も可能になり、いつも同じコンテンツを見ているというマンネリ化を防止できる。
【００６０】
また、カメラを用いて、撮影された自分の状態に応じて、提示される映像が変化することにより、例えば、鏡に反射して映る自分の服装の色と投射して提示される映像とが、調和がとれた色調で重ねられ、自分が鏡に溶け込んだかのような表現が実現できる。
【００６１】
このように、センサ，カメラ，マイク，ＩＣカードリーダなどから検出されたユーザの動作，状態の情報に基づき、映像などの情報が提示されているため、反射映像の状況と調和した映像が提示されることになり、ユーザに不思議感，驚き，親和感，安心感などを与えることができ、場の高揚感や集客などに効果がある。
【図面の簡単な説明】
【００６２】
【図１】本発明の一実施形態である情報提示装置の概略構成図かつ断面図を示す。
【図２】本発明による一般的な情報提示装置の概略構成図を示す。
【図３】透過型スクリーンおよびハーフミラーを含む表示部の構成を示す。
【図４】表示部の他の構成を示す。
【図５】表示部の他の構成を示す。
【図６】表示部の他の構成を示す。
【図７】本発明の他の実施形態の概略構成図かつ断面図を示す。
【図８】センサを用いて映像を提示する処理を示す。
【図９】センサを用いて映像を提示する他の処理を示す。
【図１０】センサを用いて映像を提示する他の処理を示す。
【図１１】カメラを用いて映像を提示する処理を示す。
【図１２】カメラを用いて映像を提示する他の処理を示す。
【図１３】カメラを用いた処理による表示例を示す。
【図１４】マイクを用いて映像を提示する処理を示す。
【図１５】マイクを用いた処理で使用するデータベースを示す。
【図１６Ａ】カードリーダを用いて映像を提示する処理を示す。
【図１６Ｂ】カードリーダを用いて映像を提示する処理を示す。
【図１７】カードリーダを用いた処理による表示例を示す。
【図１８】本発明のさらに他の実施形態である情報提示装置の概略構成図および外観を示す説明図である。
【符号の説明】
【００６３】
１０１，４０１…情報提示装置、１０２…筐体、１０３…透過型スクリーン、１０４…ハーフミラー、１０５…プロジェクタ、１０６…コンピュータ、１０７…ミラー、１０８…仕切り、１０９…光路、１１０…熱路、１１１…ユーザ、２０１…出力部、２０２…入力部、２０３…記憶部、２０４…制御部、２０５…通信部、３０１…拡散シート、３０２…金属薄膜、３０３…透明なポリエステルフィルム、３０４…透明なアクリル板、４０２…センサ、４０３…マイク、４０４…カメラ、４０５…カードリーダ、４０６…スピーカ、５０１…プロジェクタから出力、５０２…スタート用アプリケーション動作、５０３…機器の終了判定、５０４…距離検出、５０５…一定距離内かの判定、５０６…次のチャンネル番号計算、５０７…現在のアプリケーションの終了、５０８…対応するアプリケーションの動作、５０９…プロジェクタ出力停止、１００１−１〜１００１−ｎ…ハーフミラーをはずした情報提示装置、１００２…筐体、１００３…ネットワーク、１００４…サーバ、１００５−１〜１００５−４…投射映像。
【図１】
2006330011.tif 000003
【図２】
2006330011.tif 000004
【図３】
2006330011.tif 000005
【図４】
2006330011.tif 000006
【図５】
2006330011.tif 000007
【図６】
2006330011.tif 000008
【図７】
2006330011.tif 000009
【図８】
2006330011.tif 000010
【図９】
2006330011.tif 000011
【図１０】
2006330011.tif 000012
【図１１】
2006330011.tif 000013
【図１２】
2006330011.tif 000014
【図１３】
2006330011.tif 000015
【図１４】
2006330011.tif 000016
【図１５】
2006330011.tif 000017
【図１６Ａ】
2006330011.tif 000018
【図１６Ｂ】
2006330011.tif 000019
【図１７】
2006330011.tif 000020
【図１８】
2006330011.tif 000021